(57)【特許請求の範囲】
【請求項１】
被写体像を撮影する撮影部と、
記憶部に記憶された複数の撮影画像、および複数の前記撮影画像に付帯された付帯情報であって、撮影条件および撮影時刻を含む付帯情報を読み出す読み出し部と、
前記撮影部の撮影機能を設定可能とする設定メニューを表示するメニュー表示部と、
前記読み出し部によって読み出された複数の前記付帯情報から、特定時間帯の前記撮影時刻を含む前記付帯情報を抽出する付帯情報抽出部と、
前記付帯情報抽出部により抽出された前記付帯情報に含まれる前記撮影条件に応じて、前記設定メニューを変更するメニュー変更部とを備える撮影装置。
【請求項２】
前記メニュー表示部は、前記設定メニューとして、前記撮影条件に対応する複数の設定項目から選択された複数の表示用設定項目を表示し、
前記メニュー変更部は、前記付帯情報抽出部により抽出された前記付帯情報に含まれる前記撮影条件に応じて、前記設定メニューとして表示する前記表示用設定項目を変更する請求項１に記載の撮影装置。
【請求項３】
現在時刻を取得する現在時刻取得部を備え、
前記特定時間帯は、前記現在時刻取得部により取得される現在時刻を含む時間帯である請求項２記載の撮影装置。
【請求項４】
前記特定時間帯は、前記現在時刻取得部により取得される現在時刻を含む前後所定時間内の時間帯である請求項３に記載の撮影装置。
【請求項５】
前記現在時刻取得部により取得した現在時刻が昼時間帯および夜時間帯のいずれか一方かを判定する昼夜時間帯判定部を備え、
前記特定時間帯は、前記昼夜時間帯判定部により判定した前記昼時間帯および前記夜時間帯のいずれか一方である請求項３に記載の撮影装置。
【請求項６】
前記現在時刻取得部により取得した現在時刻が昼時間帯および夜時間帯のいずれか一方かを判定する昼夜時間帯判定部を備え、
前記特定時間帯は、前記現在時刻取得部により取得した現在時刻を含む所定時間内の時間帯であり、かつ前記昼夜時間帯判定部により判定した前記昼時間帯および前記夜時間帯のいずれか一方に含まれる時間帯である請求項３に記載の撮影装置。
【請求項７】
前記現在時刻取得部により取得した現在時刻が昼時間帯および夜時間帯のいずれか一方かを判定する昼夜時間帯判定部を備え、
前記付帯情報抽出部は、前記特定時間帯の前記撮影時刻を含む前記付帯情報がない場合、前記昼夜時間帯判定部により判定した前記昼時間帯および前記夜時間帯のいずれか一方の時間帯の前記撮影時刻を含む前記付帯情報を抽出する請求項３または４に記載の撮影装置。
【請求項８】
現在の位置情報を取得する位置情報取得部を備え、
前記付帯情報抽出部は、前記特定時間帯の前記撮影時刻を含む前記付帯情報がない場合、前記位置情報取得部で取得した前記位置情報に関連する前記付帯情報を抽出する請求項３〜５のいずれか１項に記載の撮影装置。
【請求項９】
前記撮影部により撮影された被写体像から顔画像を検知する顔画像検知部を備え、
前記付帯情報抽出部は、前記特定時間帯の前記撮影時刻を含む前記付帯情報が無く、前記顔画像検知部により顔画像が検知された場合、人物撮影に関連する前記付帯情報を抽出し、並びに、前記特定時間帯の前記撮影時刻を含む前記付帯情報が無く、前記顔画像検知部により顔画像が検知されない場合、非人物撮影に関連する前記付帯情報を抽出する請求項３〜５のいずれか１項に記載の撮影装置。
【請求項１０】
前記メニュー変更部は、前記付帯情報抽出部により抽出された前記付帯情報に含まれる前記撮影条件に基づき、前記特定時間帯における撮影で使用された前記撮影条件の変更回数を前記表示用設定項目毎にカウントし、前記変更回数の多い順に、前記表示用設定項目を表示させる請求項２〜９のいずれか１項に記載の撮影装置。
【請求項１１】
複数の前記表示用設定項目の設定値を決定する設定値決定部であって、前記付帯情報抽出部により抽出された前記付帯情報に含まれる前記撮影条件に基づき、前記表示用設定項目における最も使用回数が多い値を前記設定値として決定する設定値決定部を備える請求項１０記載の撮影装置。
【請求項１２】
前記撮影部により撮影された被写体像における露出値を検出する露出値検出部と、
被写体に対して照明光を照射するフラッシュ装置がある場合において、前記フラッシュ装置の発光を制御するフラッシュ発光制御部とを備え、
前記露出値検出部により所定値以上の露出値が検出された場合、前記フラッシュ装置の発光量を低減させる設定値に、並びに、前記露出値検出部により所定値未満の露出値が検出された場合、前記フラッシュ装置の発光量を増加させる設定値に変更する設定値決定部とを備える請求項３〜１０のいずれか１項に記載の撮影装置。
【請求項１３】
前記撮影部により撮影された被写体像における露出値を検出する露出値検出部と、
被写体に対して照明光を照射するフラッシュ装置がある場合において、前記フラッシュ装置の発光を制御するフラッシュ発光制御部と、
前記露出値検出部により所定値以上の露出値が検出された場合、前記フラッシュ装置の発光をオフする設定値に、並びに、前記露出値検出部により所定値未満の露出値が検出された場合、前記フラッシュ装置の発光をオンする設定値に変更する設定値決定部とを備える請求項３〜１０のいずれか１項に記載の撮影装置。
【請求項１４】
前記撮影部により撮影された被写体像から露出値を検出する露出値検出部と、
被写体に対して照明光を照射するフラッシュ装置がある場合において、前記フラッシュ装置の発光を制御するフラッシュ発光制御部と、
前記顔画像検知部により顔画像が検知され、かつ前記露出値検出部により所定値以上の露出値が検出された場合、前記フラッシュ装置の発光をオフする設定値に、並びに、前記顔画像検知部により顔画像が検知され、かつ前記露出値検出部により所定値未満の露出値が検出された場合、前記フラッシュ装置の発光をオンする設定値に変更する設定値決定部とを備える請求項９に記載の撮影装置。
【請求項１５】
前記撮影部により撮影された被写体像における被写体までの距離値を算出する距離算出部と、
被写体に対して照明光を照射するフラッシュ装置がある場合において、前記フラッシュ装置の発光を制御するフラッシュ発光制御部と、
前記メニュー変更部は、前記顔画像検知部により顔画像が検知されず、かつ前記距離算出部により所定値以上の距離値が検出された場合、前記フラッシュ装置の発光をオフする設定値に、並びに、前記顔画像検知部により顔画像が検知されず、かつ前記距離算出部により所定値未満の距離値が検出された場合、前記フラッシュ装置の発光をオンする設定値に変更する設定値決定部とを備える請求項９に記載の撮影装置。
【請求項１６】
前記設定値決定部は、複数の前記表示用設定項目のうち、特定の第１設定項目に対して、前記付帯情報抽出部により抽出された前記付帯情報に含まれる前記撮影条件に基づいて設定値を決定し、前記第１設定項目とは異なる複数の前記表示用設定項目のうち、前記第１設定項目と関連する第２設定項目に対して、前記第１設定項目に対して決定された設定値に対応する前記付帯情報に含まれる前記撮影条件に基づいて設定値を決定する請求項１１〜１５のいずれか１項に記載の撮影装置。
【請求項１７】
前記記憶部は、記憶媒体である請求項１〜１６のいずれか１項に記載の撮影装置。
【請求項１８】
前記記憶部は、オンラインストレージである請求項１〜１６のいずれか１項に記載の撮影装置。
【請求項１９】
前記付帯情報抽出部は、前記記憶部が複数ある場合、前記特定時間帯の前記撮影時刻を含む前記付帯情報として抽出された前記付帯情報を時系列で並び替える請求項１〜１８のいずれか１項に記載の撮影装置。
【請求項２０】
前記メニュー変更部は、前記付帯情報抽出部により時系列で並び替えられた複数の前記付帯情報のうち、所定期間内における撮影で使用された複数の前記付帯情報に応じて前記設定メニューを変更する請求項１９に記載の撮影装置。
【請求項２１】
前記付帯情報は、ＥＸＩＦ形式のデータである請求項１〜２０のいずれか１項に記載の撮影装置。
【請求項２２】
記憶部に記憶された複数の撮影画像、および複数の前記撮影画像に付帯された付帯情報であって、撮影条件および撮影時刻を含む付帯情報を読み出すステップと、
撮影部の撮影機能を設定可能とする設定メニューを表示するステップと、
複数の前記付帯情報から、特定時間帯の前記撮影時刻を含む前記付帯情報を抽出するステップと、
前記特定時間帯の前記撮影時刻を含む前記付帯情報に含まれる前記撮影条件に応じて、前記設定メニューを変更するステップとを含む撮影装置の制御方法。
【発明の詳細な説明】
【技術分野】
【０００１】
本発明は、撮影画像の付帯情報を読み出す撮影装置及びその制御方法に関するものである。
【背景技術】
【０００２】
デジタルカメラ等の撮影装置には、高品質な画像を撮影するために、様々な撮影機能を有しているものがある。このような撮影装置では、表示部に設定メニューを表示し、この設定メニューに基づいて撮影機能を設定可能とすることが一般的である。【０００３】
従来、撮影装置には、メモリカードや、外部の記憶部から情報を読み出す読み出し部を備えており、記憶部に記憶された撮像画像と、撮像画像に付帯された付帯情報とを読み出す。特許文献１には、付帯情報に含まれる撮影条件を読み出し、撮影条件に基づき設定メニューを変更する撮影装置について開示されている。
【先行技術文献】
【特許文献】
【０００４】
【特許文献１】特開２０１０−５０５５２号公報
【発明の概要】
【発明が解決しようとする課題】
【０００５】
しかしながら、上記特許文献１に記載された撮影装置では、ユーザーが使用したい撮影機能を設定するための設定項目が表示されない場合もあった。特に、ユーザーが撮影を行う現在時刻と、記憶部から読み出された撮影条件に含まれる撮影時刻とが異なる場合、設定メニューとして現在の状況と異なる設定項目を表示するため、使い勝手が良くない。【０００６】
本発明は、撮影時刻に合わせて設定メニューの表示内容を適切に変更することができる撮影装置及びその制御方法を提供することを目的とする。
【課題を解決するための手段】
【０００７】
本発明の撮影装置は、撮影部と、読み出し部と、メニュー表示部と、付帯情報抽出部と、メニュー変更部とを備える。撮影部は、被写体像を撮影する。読み出し部は、記憶部に記憶された複数の撮影画像、および複数の撮影画像に付帯された付帯情報であって、撮影条件および撮影時刻を含む付帯情報を読み出す。メニュー表示部は、撮影部の撮影機能を設定可能とする設定メニューを表示する。付帯情報抽出部は、読み出し部によって読み出された複数の付帯情報から、特定時間帯の撮影時刻を含む付帯情報を抽出する。メニュー変更部は、付帯情報抽出部により抽出された付帯情報に含まれる撮影条件に応じて、設定メニューを変更する。【０００８】
メニュー表示部は、設定メニューとして、撮影条件に対応する複数の設定項目から選択された複数の表示用設定項目を表示し、メニュー変更部は、付帯情報抽出部により抽出された付帯情報に含まれる撮影条件に応じて、設定メニューとして表示する表示用設定項目を変更することが好ましい。【０００９】
現在時刻を取得する現在時刻取得部を備え、特定時間帯は、現在時刻取得部により取得される現在時刻を含む時間帯であることが好ましい。【００１０】
特定時間帯は、現在時刻取得部により取得される現在時刻を含む前後所定時間内の時間帯であることが好ましい。【００１１】
現在時刻取得部により取得した現在時刻が昼時間帯および夜時間帯のいずれか一方かを判定する昼夜時間帯判定部を備え、特定時間帯は、昼夜時間帯判定部により判定した昼時間帯および夜時間帯のいずれか一方であることが好ましい。【００１２】
現在時刻取得部により取得した現在時刻が昼時間帯および夜時間帯のいずれか一方かを判定する昼夜時間帯判定部を備え、特定時間帯は、現在時刻取得部により取得した現在時刻を含む所定時間内の時間帯であり、かつ昼夜時間帯判定部により判定した昼時間帯および夜時間帯のいずれか一方に含まれる時間帯であることが好ましい。【００１３】
現在時刻取得部により取得した現在時刻が昼時間帯および夜時間帯のいずれか一方かを判定する昼夜時間帯判定部を備え、付帯情報抽出部は、特定時間帯の撮影時刻を含む付帯情報がない場合、昼夜時間帯判定部により判定した昼時間および夜時間のいずれか一方の時間帯の撮影時刻を含む付帯情報を抽出することが好ましい。【００１４】
現在の位置情報を取得する位置情報取得部を備え、付帯情報抽出部は、特定時間帯の撮影時刻を含む付帯情報がない場合、位置情報取得部で取得した位置情報に関連する付帯情報を抽出することが好ましい。【００１５】
撮影部により撮影された被写体像から顔画像を検知する顔画像検知部を備え、付帯情報抽出部は、特定時間帯の撮影時刻を含む付帯情報が無く、顔画像検知部により顔画像が検知された場合、人物撮影に関連する付帯情報を抽出し、並びに、特定時間帯の撮影時刻を含む付帯情報が無く、顔画像検知部により顔画像が検知されない場合、非人物撮影に関連する付帯情報を抽出することが好ましい。【００１６】
メニュー変更部は、付帯情報抽出部により抽出された付帯情報に含まれる撮影条件に基づき、特定時間帯における撮影で使用された撮影条件の変更回数を表示用設定項目毎にカウントし、変更回数の多い順に、表示用設定項目を表示させることが好ましい。【００１７】
複数の表示用設定項目の設定値を決定する設定値決定部であって、付帯情報抽出部により抽出された付帯情報に含まれる撮影条件に基づき、表示用設定項目における最も使用回数が多い値を設定値として決定する設定値決定部を備えることが好ましい。【００１８】
撮影部により撮影された被写体像における露出値を検出する露出値検出部と、被写体に対して照明光を照射するフラッシュ装置がある場合において、フラッシュ装置の発光を制御するフラッシュ発光制御部とを備え、露出値検出部により所定値以上の露出値が検出された場合、フラッシュ装置の発光量を低減させる設定値に、並びに、露出値検出部により所定値未満の露出値が検出された場合、フラッシュ装置の発光量を増加させる設定値に変更する設定値決定部とを備えることが好ましい。【００１９】
露出値検出部と、フラッシュ発光制御部と、露出値検出部により所定値以上の露出値が検出された場合、フラッシュ装置の発光をオフする設定値に、並びに、露出値検出部により所定値未満の露出値が検出された場合、フラッシュ装置の発光をオンする設定値に変更する設定値決定部とを備えることが好ましい。【００２０】
露出値検出部と、フラッシュ発光制御部と、顔画像検知部により顔画像が検知され、かつ露出値検出部により所定値以上の露出値が検出された場合、フラッシュ装置の発光をオフする設定値に、並びに、顔画像検知部により顔画像が検知され、かつ露出値検出部により所定値未満の露出値が検出された場合、フラッシュ装置の発光をオンする設定値に変更する設定値決定部とを備えることが好ましい。【００２１】
撮影部により撮影された被写体像における被写体までの距離値を算出する距離算出部と、フラッシュ発光制御部と、顔画像検知部により顔画像が検知されず、かつ距離算出部により所定値以上の距離値が検出された場合、フラッシュ装置の発光をオフする設定値に、並びに、顔画像検知部により顔画像が検知されず、かつ距離算出部により所定値未満の距離値が検出された場合、フラッシュ装置の発光をオンする設定値に変更する設定値決定部とを備えることが好ましい。【００２２】
設定値決定部は、複数の表示用設定項目のうち、特定の第１設定項目に対して、付帯情報抽出部により抽出された付帯情報に含まれる撮影条件に基づいて設定値を決定し、第１設定項目とは異なる複数の表示用設定項目のうち、第１設定項目と関連する第２設定項目に対して、第１設定項目に対して決定された設定値に対応する付帯情報に含まれる撮影条件に基づいて設定値を決定することが好ましい。【００２３】
記憶部は、記憶媒体であることが好ましい。あるいは、記憶部は、オンラインストレージであることが好ましい。付帯情報抽出部は、記憶部が複数ある場合、特定時間帯の撮影時刻を含む付帯情報として抽出された付帯情報を時系列で並び替えることが好ましい。【００２４】
メニュー変更部は、付帯情報抽出部により時系列で並び替えられた複数の付帯情報のうち、所定期間内における撮影で使用された複数の付帯情報に応じて設定メニューを変更することが好ましい。付帯情報は、ＥＸＩＦ形式のデータであることが好ましい。【００２５】
本発明の撮影装置の制御方法は、記憶部に記憶された複数の撮影画像、および複数の撮影画像に付帯された付帯情報であって、撮影条件および撮影時刻を含む付帯情報を読み出すステップと、撮影部の撮影機能を設定可能とする設定メニューを表示するステップと、複数の付帯情報から、特定時間帯の撮影時刻を含む付帯情報を抽出するステップと、特定時間帯の撮影時刻を含む付帯情報に含まれる撮影条件に応じて、設定メニューを変更するステップとを含む。
【発明の効果】
【００２６】
本発明によれば、撮影時刻に合わせて設定メニューの表示内容を適切に変更することができる。
【図面の簡単な説明】
【００２７】
【図１】レンズ交換式デジタルカメラの正面側外観斜視図である。
【図２】交換レンズおよびカメラ本体の外観斜視図である。
【図３】レンズ交換式デジタルカメラの背面側外観斜視図である。
【図４】レンズ交換式デジタルカメラの構成を示すブロック図である。
【図５】設定メニューの一例を示す表示画面の説明図である。
【図６】設定メニューでフラッシュモードの表示用設定項目を選択した場合の選択候補一覧を示す表示画面の説明図である。
【図７】設定メニューで撮影シーンの表示用設定項目を選択した場合の選択候補一覧を示す表示画面の説明図である。
【図８】設定メニューでフォーカスモードの表示用設定項目を選択した場合の選択候補一覧を示す表示画面の説明図である。
【図９】設定メニューで画像サイズの表示用設定項目を選択した場合の選択候補一覧を示す表示画面の説明図である。
【図１０】記憶部から読み出された複数の付帯情報から、特定時間帯の撮影時刻を含む付帯情報を抽出する構成を説明する概略図である。
【図１１】特定時間帯における撮影で使用された撮影条件の変更回数をカウントする構成を説明する説明図である。
【図１２】設定メニューを変更する際の処理を説明するフローチャートである。
【図１３】設定メニューを変更する一例を示す説明図である。
【図１４】第２実施形態の構成を示すブロック図である。
【図１５】複数の記憶部から読み出された複数の付帯情報から、特定時間帯の撮影時刻を含む付帯情報を抽出する構成を説明する概略図である。
【図１６】第２実施形態で設定メニューを変更する際の処理を説明するフローチャートである。
【図１７】第３実施形態で設定メニューを変更する際の処理を説明するフローチャートである。
【図１８】第４実施形態の構成を示すブロック図である。
【図１９】第４実施形態で設定メニューを変更する際の処理を説明するフローチャートである。
【図２０】第５実施形態の構成を示すブロック図である。
【図２１】第５実施形態で設定メニューを変更する際の処理を説明するフローチャートである。
【図２２】第６実施形態の構成を示すブロック図である。
【図２３】第７実施形態において記憶部から読み出された複数の付帯情報から抽出された付帯情報の一例を示す説明図である。
【発明を実施するための形態】
【００２８】
［第１実施形態］
図１および図２において、レンズ交換式デジタルカメラ（以下、カメラと称する）１０は、カメラ本体１１と、交換レンズ１２とを備える。カメラ１０は、いわゆるミラーレス一眼タイプのデジタルカメラである。
【００２９】
カメラ本体１１は、その上面に電源レバー１３、レリーズスイッチ１４、露出補正ダイヤル１５、シャッタスピード／ＩＳＯ感度ダイヤル１６、内蔵型フラッシュ装置（以下、フラッシュ装置と称する）１７などを備える。
【００３０】
レリーズスイッチ１４は、いわゆる「半押し」と「全押し」とを可能とする２段ストローク式のスイッチである。レリーズスイッチ１４は、半押しされることによってＳ１オンの信号を出力し、半押しから更に押し込む全押しが行われることによってＳ２オンの信号を出力する。カメラ１０は、レリーズスイッチ１４からＳ１オン信号が出力されると自動焦点調節（ＡＦ（Auto Focus）処理）や自動露出制御などの撮影準備処理を実行し、Ｓ２オン信号が出力されると撮影処理を実行する。フラッシュ装置１７は、例えば、フラッシュレバー１８を操作することでカバーが開放し、発光部を露呈させる。フラッシュ装置１７は、後述する本体制御部５０の制御により被写体に対して照明光を照射する。
【００３１】
カメラ本体１１の前面には、マウント１９が設けられている。マウント１９は、交換レンズ１２が取り付けられる。マウント１９の内部には、交換レンズ１２と電気的に接続するためのボディ側信号接点１９Ａと、固体撮像素子２１とが設けられている。
【００３２】
図３に示すように、カメラ本体１１の背面には、背面表示部２２と、複数の操作ボタン２３と、ファインダ部２４などが設けられている。背面表示部２２は、本発明のメニュー表示部に相当し、ライブビュー画像の表示、撮影済み画像の再生、および設定メニューの表示などに用いられる。複数の操作ボタン２３は、各種設定操作などに用いられる。背面表示部２２は、例えばＬＣＤパネルで構成されている。
【００３３】
ファインダ部２４は、電子ビューファインダであり、ファインダ接眼窓２４Ａの奥に配置したＬＣＤからなるＥＶＦ（Electronic View Finder）パネル５９（図４参照）に、固体撮像素子２１で撮像した被写体像であるライブビュー画像が表示される。ファインダ接眼窓２４Ａは、撮影者の眼が接眼される。
【００３４】
図２に示すように、交換レンズ１２は、鏡筒部２５、撮影光学系２６、フォーカスリング２７、絞り操作リング２８、ズームリング２９、レンズマウント３０などを備える。鏡筒部２５は、円筒形状で内部に撮影光学系２６を収納し、後端にレンズマウント３０が設けられている。撮影光学系２６は、交換レンズ１２がカメラ本体１１に装着された場合、固体撮像素子２１に被写体光を結像する。固体撮像素子２１は、交換レンズ１２から射出された光を撮像する。
【００３５】
レンズマウント３０は、カメラ本体１１のマウント１９に着脱自在に結合される。レンズマウント３０には、レンズ側信号接点３０Ａが設けられている。レンズ側信号接点３０Ａは、交換レンズ１２のレンズマウント３０がカメラ本体１１のマウントに結合された際にボディ側信号接点１９Ａと接触し、交換レンズ１２とカメラ本体１１とを電気的に接続する。
【００３６】
図４に示すように、交換レンズ１２は、撮影光学系２６、フォーカスリング２７、絞り操作リング２８などの他、レンズ制御部３１、モータドライバ３２，モータ３３，３４、ズーム機構３６、およびセンサ３７，３８などを備える。
【００３７】
レンズ制御部３１は、ＣＰＵ（Central Processing Unit）と、このＣＰＵで使用されるプログラムやパラメータを記憶したＲＯＭ（Read Only Memory）と、ＣＰＵのワークメモリとして使用されるＲＡＭ（Random Access Memory）（いずれも図示せず）などを備えたマイクロコンピュータからなり、交換レンズ１２の各部を制御する。レンズ制御部３１には、モータドライバ３２、およびセンサ３７，３８が接続されている。
【００３８】
撮影光学系２６は、フォーカスレンズ３９、変倍レンズ４０を含む複数のレンズ、絞りユニット４１などを備える。フォーカスレンズ３９は、モータ３３の駆動により光軸Ｌの方向に移動し、撮影距離を調節する。絞りユニット４１は、モータ３４の駆動により複数枚の絞り羽根４１ａを移動させ、固体撮像素子２１への入射光量を変化させる。モータドライバ３２は、レンズ制御部３１の制御に基づき、モータ３３，３４の駆動を制御する。
【００３９】
ズーム機構３６は、ズームリング２９の回転動作を直線移動に変換して変倍レンズ４０を移動させるマニュアルズーム機構である。変倍レンズ４０は、ズーム機構３６の駆動により光軸Ｌ方向に移動し、画角を変更する。
【００４０】
カメラ本体１１は、上述したレリーズスイッチ１４、固体撮像素子２１、背面表示部２２、およびＥＶＦパネル５９の他、本体制御部５０、シャッタユニット５１、モータドライバ５２、画像メモリ５３、画像データ処理部５４、ＡＦ処理部５５、ＬＣＤドライバ５６、およびカードＩ／Ｆ（Interface）５７、付帯情報記憶部５８などを有し、これらはバスライン６０により接続されている。
【００４１】
本体制御部５０は、ＣＰＵと、このＣＰＵで使用されるプログラムやパラメータを記憶したＲＯＭと、ＣＰＵのワークメモリとして使用されるＲＡＭ（いずれも図示せず）などを備えている。本体制御部５０は、カメラ本体１１と、カメラ本体１１に接続された交換レンズ１２の各部を制御する。本体制御部５０には、レリーズスイッチ１４からＳ１信号およびＳ２信号が入力される。また、本体制御部５０には、ボディ側信号接点１９Ａが接続されている。
【００４２】
本体制御部５０は、レンズ制御部３１が検出するフォーカスリング２７の回転方向および回転量の情報に応じてフォーカスレンズ３９を移動させる制御信号をレンズ制御部３１に送信する。レンズ制御部３１は、制御信号に基づいてモータドライバ３２を制御し、フォーカスレンズ３９を移動させる。
【００４３】
本体制御部５０は、レンズ制御部３１が検出する絞り操作リング２８の回転位置の情報に応じて絞りユニット４１を動作させ、絞り径を変更するための制御信号をレンズ制御部３１に送信する。レンズ制御部３１は、本体制御部５０からの制御信号に基づいてモータドライバ３２を制御し、絞り操作リング２８の回転位置に対応する絞り値が得られるように絞りユニット４１の絞り径を制御する。
【００４４】
シャッタユニット５１は、いわゆるフォーカルプレーンシャッターであり、マウント１９と固体撮像素子２１との間に配置されている。シャッタユニット５１は、撮影光学系２６と固体撮像素子２１との間の光路を遮断可能に設けられており、開口状態と閉口状態との間で変化する。シャッタユニット５１は、ライブビュー画像および動画撮影時に開口状態とされる。シャッタユニット５１は、静止画撮影時には、開口状態から一時的に閉口状態になる。このシャッタユニット５１は、シャッタモータ６２により駆動される。モータドライバ５２は、シャッタモータ６２の駆動を制御する。
【００４５】
固体撮像素子２１は、本体制御部５０により駆動制御される。固体撮像素子２１は、シャッタユニット５１、画像データ処理部５４などとともに撮影部を構成する。撮影部は、マウント１９に交換レンズ１２が装着された状態で撮影を行う。固体撮像素子２１は、例えば、ＣＭＯＳ型イメージセンサであり、２次元マトリクス状に配列された複数の画素（図示せず）により構成された受光面を有している。各画素は、光電変換素子を含んでおり、交換レンズ１２により受光面に結像された被写体像を光電変換して撮像信号を生成する。また、固体撮像素子２１は、電子シャッタ機能を有しており、シャッタ速度（電荷蓄積時間）が調整可能である。
【００４６】
また、固体撮像素子２１は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子２１からバスライン６０に出力する。固体撮像素子２１の出力信号は、画素ごとに１つの色信号を有する画像データ（いわゆるＲＡＷデータ）である。
【００４７】
画像メモリ５３は、バスライン６０に出力された１フレーム分の画像データを格納する。画像データ処理部５４は、画像メモリ５３から１フレーム分の画像データを読み出し、マトリクス演算、デモザイク処理、γ補正、輝度・色差変換、リサイズ処理などの公知の画像処理を施す。
【００４８】
ＬＣＤドライバ５６は、画像データ処理部５４で画像処理された１フレーム分の画像データを順次に背面表示部２２に入力する。背面表示部２２は、ライブビュー画像を一定の周期で順次に表示する。カードＩ／Ｆ５７は、カメラ本体１１に設けられたカードスロット（図示せず）内に組み込まれており、カードスロットに挿入されたメモリカード６３と電気的に接続する。カードＩ／Ｆ５７は、画像データ処理部５４で画像処理された画像データをメモリカード６３に格納する。メモリカード６３は、本発明の記憶媒体に相当する。また、メモリカード６３に格納されている画像データを再生表示する際には、カードＩ／Ｆ５７は、メモリカード６３から画像データを読み出す。
【００４９】
後述する設定モードが選択された場合、カードＩ／Ｆ５７は、本体制御部５０により駆動制御され、メモリカード６３から画像データ、および画像データに付帯された付帯情報を読み出す読み出し部として機能する。メモリカード６３に画像データとして記憶されているものは、カメラ１０、またはカメラ１０とは別の撮影装置で撮影された撮影画像である。メモリカード６３に記憶された付帯情報は、撮影画像が撮影された際の撮影条件および撮影時刻を含む付帯情報である。
【００５０】
また、付帯情報は、ＥＸＩＦ（Exchangeable image file format）形式のデータで記憶されている。また、画像データおよび付帯情報が読み出される記憶媒体としては、メモリカード６３に限るものではなく、ＵＳＢ（Universal Serial Bus）メモリなどカメラ１０で読み出し可能な記憶媒体であればよい。また、付帯情報は、ＥＸＩＦ形式のデータに限るものではなく、撮影画像に付帯させて記憶させることが可能なデータ形式であればよい。
【００５１】
操作ボタン２３の操作により設定モードが選択された場合、本体制御部５０は、ＬＣＤドライバ５６を駆動制御して背面表示部２２に設定メニューを表示させる。この設定メニューは、固体撮像素子２１、シャッタユニット５１、画像データ処理部５４などからなる撮影部の撮影機能を設定可能とする。設定メニューには、本体制御部５０が後述するメニュー変更部として機能した場合、複数の設定項目から画像データの付帯情報に合わせて選択された複数の表示用設定項目が表示される。
【００５２】
図５は、背面表示部２２に表示される設定メニューの一例である。この設定メニューＭでは、露出補正、フラッシュモード、ＩＳＯ感度、撮影シーン、フォーカスモード、画像サイズなどの複数の表示用設定項目が表示される。なお、設定メニューＭは、例えば、複数ページから構成され、各ページに複数の表示用設定項目が表示される。また、この場合、操作ボタン２３により設定メニューＭのページを切り換えることができる。
【００５３】
ユーザーが設定メニューＭ１に基づき、撮影機能を設定する場合、例えば、操作ボタン２３を操作することにより複数の表示用設定項目から、１つの表示用設定項目を選択する。図５に示す例では、網掛け表示された露出補正の表示用設定項目が選択される。
【００５４】
露出補正の表示用設定項目が選択された場合、露出補正ダイヤル１５を操作することにより、露出補正値を設定することができる。露出補正値は、明るい被写体を暗くする場合はマイナス側、暗い被写体を明るくする場合はプラス側、露出補正の必要がない場合は０であり、単位としてＥＶ（exposure value）を用いる。図５に示す例では、露出補正値として＋１／３ＥＶが選択されている。
【００５５】
フラッシュモードの表示用設定項目が選択された場合、図６に示すように、ＡＵＴＯ、強制発光、スローシンクロ、後幕シンクロ、コマンダー、発光禁止などのフラッシュモードの選択候補一覧が表示される。操作ボタン２３を操作することにより、この選択候補一覧からフラッシュモードの設定が選択される。
【００５６】
選択候補一覧からＡＵＴＯを選択すると、図示しない測光センサにより被写体が暗いと判断した場合にフラッシュが自動的に発光する。一方、強制発光を選択すると、周囲の明るさに関わらず、強制的にフラッシュが発光する。また、スローシンクロを選択すると、シャッタスピードを遅く、且つシャッタにフラッシュを同期させて発光する。後幕シンクロを選択すると、シャッタが閉じる直前にフラッシュを発光させる。また、発光禁止が選択された場合、周囲の明るさに関わらず、フラッシュを発光させない。
【００５７】
ＩＳＯ感度の表示用設定項目が選択された場合、シャッタスピード／ＩＳＯ感度ダイヤル１６を操作することにより、ＩＳＯ感度を設定することができる。図５に示す例では、ＩＳＯ感度としてＩＳＯ８００が選択されている。
【００５８】
撮影シーンの表示用設定項目が選択された場合、図７に示すように、ＡＵＴＯ、人物、風景、スポーツ、夜景などの撮影シーンの選択候補一覧が表示される。操作ボタン２３を操作することにより、この選択候補一覧から撮影シーンの設定が選択される。
【００５９】
選択候補一覧からＡＵＴＯを選択すると、ライブビュー画像から自動的に撮影シーンを認識し、絞り値やシャッタースピードなどの撮影条件を撮影シーンに合った設定値に設定する。一方、人物、風景、スポーツ、夜景などの撮影シーンを選択すると、各撮影シーンに合った設定値に設定する。
【００６０】
フォーカスモードの表示用設定項目が選択された場合、図８に示すように、ＡＦ−Ｓ、ＡＦ−Ｃ、マニュアルフォーカスなどのフォーカスモードの選択候補一覧が表示される。操作ボタン２３を操作することにより、この選択候補一覧からフォーカスモードの設定が選択される。
【００６１】
選択候補一覧からＡＦ−Ｓ（シングルＡＦ）を選択すると、レリーズスイッチ１４を半押した場合、フォーカスエリア内の被写体にピントを合わせ、レリーズスイッチ１４を半押ししている間はピントがそのまま固定される。一方、ＡＦ−Ｃ（コンティニュアスＡＦ）を選択すると、レリーズスイッチ１４を半押ししている間は、被写体の動きに合わせてピントを合わせ続ける。マニュアルフォーカスを選択すると、フォーカスリング２７のマニュアル操作により、手動でピントを合わせることができる。
【００６２】
画像サイズの表示用設定項目が選択された場合、図９に示すように、Ｌ，Ｍ，Ｓなどの画像サイズ、３：２、１６：９、１：１などのアスペクト比を組み合わせた選択候補一覧が表示される。操作ボタン２３を操作することにより、この選択候補一覧から画像サイズ、アスペクト比の設定が選択される。
【００６３】
図１０に示すように、本体制御部５０は、カードＩ／Ｆ５７によってメモリカード６３から読み出された複数の付帯情報から、特定時間帯の撮影時刻を含む付帯情報を抽出する付帯情報抽出部として機能する。具体的には、本体制御部５０は、タイマ５０Ａにより現在時刻を取得し、現在時刻を含む前後の所定時間内を特定時間帯とする。
【００６４】
本体制御部５０は、特定時間帯の撮影時刻を含む付帯情報を抽出し、付帯情報記憶部５８に一旦記憶させる。付帯情報記憶部５８は、例えばＥＥＰＲＯＭ（Electrically Erasable Programmable Read-Only Memory）などの不揮発性メモリから構成される。
【００６５】
図１０に示す例では、現在時刻は、８時００分であり、８時００分を含む前後２時間内、すなわち、６時００分〜１０時００分を特定時間帯として、本体制御部５０は、６時００分〜１０時００分の撮影時刻を含む付帯情報を抽出している。
【００６６】
さらに、本体制御部５０は、特定時間帯の撮影時刻を含む付帯情報として抽出され、付帯情報記憶部５８に記憶された付帯情報に含まれる撮影条件に応じて設定メニューを変更するメニュー変更部として機能する。
【００６７】
図１１は、特定時間帯の撮影時刻を含む付帯情報として、本体制御部５０により抽出された付帯情報の一例を示すものである。本実施形態では、本体制御部５０は、特定時間帯における撮影で使用された撮影条件の変更回数を表示用設定項目毎にカウントし、変更回数の多い順に、表示用設定項目を表示させる。この変更回数をカウントする方法としては、例えば、図１１に示すように、特定時間帯の撮影時刻を含む付帯情報を時系列順に並べ、表示用設定項目毎に、直前の撮影条件に対して設定値が変更された回数をカウントするものである。
【００６８】
図１１に示す例の場合、露出補正の表示用設定項目における変更回数が７回と最も多く、フラッシュモード、ＩＳＯ感度が３回、１回とカウントされている。なお、露出補正、フラッシュモード、ＩＳＯ感度以外の表示用設定項目は、図示を省略しているが、いずれも変更回数は０回である。なお、これに限らず、撮影条件に変更があった場合、予め変更情報を付帯情報として記憶し、この変更情報に基づいて変更回数をカウントしてもよい。
【００６９】
また、本体制御部５０は、表示用設定項目の設定値を決定する設定値決定部として機能する。本体制御部５０は、特定時間帯における撮影で使用された回数の多い最多設定値を、表示用設定項目の設定値として決定し、設定メニューに表示させる。図１１に示す例では、露出補正、フラッシュモード、ＩＳＯ感度の表示用設定項目における最多設定値は、それぞれ、＋１、強制発光、ＩＳＯ８００となっている。
【００７０】
メモリカード６３から読み出された複数の付帯情報から、特定時間帯の撮影時刻を含む付帯情報を抽出し、抽出された付帯情報に含まれる撮影条件に応じて、設定メニューを変更する処理手順について、図１２に示すフローチャートに沿って説明する。
【００７１】
カメラ１０が設定モード下で、カメラ本体１１にメモリカード６３が接続状態の場合（Ｓ１１でＹ）、本体制御部５０は、接続されたメモリカード６３から画像データおよび付帯情報を読み出す（Ｓ１２）。
【００７２】
次に読み出された付帯情報のうち、特定時間帯の撮影時刻を含む付帯情報を抽出して付帯情報記憶部５８に一旦記憶する（Ｓ１３）。本体制御部５０は、特定時間帯の撮影時刻を含む付帯情報として抽出され、付帯情報記憶部５８に一旦記憶された撮影条件から特定時間帯における撮影で使用された撮影条件の変更回数をカウントし（Ｓ１４）、変更回数の多い順に表示用設定項目を設定メニュー表示させる（Ｓ１５）。さらに、特定時間帯における撮影で使用された回数の多い最多設定値を、表示用設定項目の設定値として決定し、設定メニューに表示させる（Ｓ１６）。
【００７３】
図１３は、上記のプロセスに基づき変更された設定メニューの一例を示す。変更前の設定メニューＭ１では、撮影シーン、フォーカスモード、画像サイズ、ＩＳＯ感度、露出補正、フラッシュモードの順で表示されている。上述した図１１に示す例では、露出補正、フラッシュモード、ＩＳＯ感度・・・の順で、表示用設定項目毎の設定値の変更回数が多いため、図１１に示す例に従って、変更回数の多い順に表示用設定項目を並べ替えると、変更後の設定メニューＭ２のように、露出補正、フラッシュモード、ＩＳＯ感度、撮影シーン、フォーカスモード、画像サイズの順で表示用設定項目が表示される。
【００７４】
また、図１１に示す例では、特定時間帯における撮影で使用された回数の多い最多設定値として、露出補正、フラッシュモード、ＩＳＯ感度の最多設定値は、それぞれ、＋１、強制発光、ＩＳＯ８００となっているため、変更後の設定メニューＭ２では、設定値がこれらの値に変更されている。
【００７５】
以上のように、本実施形態では、特定時間帯の撮影時刻を含む付帯情報を抽出し、抽出された付帯情報に含まれる撮影条件に応じて、設定メニューを変更しているので、撮影時刻に合わせて設定メニューの表示内容を適切に変更することができる。
【００７６】
また、本実施形態では、現在時刻を取得し、現在時刻を含む前後２時間内の時間帯を特定時間帯としているので、さらに現在の状況に合わせた設定メニューの表示内容にすることができる。
【００７７】
［第２実施形態］
上記第１実施形態では、撮影画像および付帯情報が読み出される記憶部としては、メモリカード６３などの記憶媒体を例に上げているが、これに限るものではなく、以下で説明する第２実施形態では、記憶部としては、オンラインストレージを用いる。図１４に示すように、本実施形態のカメラ本体７１では、ネットワーク７３と通信する通信Ｉ／Ｆ７２を備える。なお、第１実施形態と同一構成部品には同一符号を付して重複した説明を省略している。
【００７８】
図１４に示すように、通信Ｉ／Ｆ７２は、ネットワーク７３を介してオンラインストレージ７４と通信する。ネットワーク７３は、データ通信を行うインターネットなどの通信網である。オンラインストレージ７４は、ネットワーク７３を介して接続されるサーバー装置であり、例えば、インターネット上でファイルを共有するクラウドサービスと呼ばれるものを用いる。また、クラウドサービスとしては、Dropbox（登録商標）、OneDrive（登録商標）などの商用サービスを用いてもよい。
【００７９】
本実施形態では、設定モードが選択された場合、通信Ｉ／Ｆ７２は、本体制御部５０により駆動制御され、オンラインストレージ７４から画像データ、および画像データに付帯された付帯情報を読み出す読み出し部として機能する。以降の処理手順としては、上記第１実施形態と同様である。
【００８０】
上記第２実施形態の変形例として、複数の記憶部から、撮影画像および付帯情報を読み出し、読み出された付帯情報に基づき、設定メニューを変更する例を図１５に示す説明図および図１６に示すフローチャートに沿って説明する。
【００８１】
図１５に示すように、本体制御部５０は、カードＩ／Ｆ５７によってメモリカード６３から読み出された複数の付帯情報と、通信Ｉ／Ｆ７２によってオンラインストレージ７４から読み出された複数の付帯情報とから、特定時間帯の撮影時刻を含む付帯情報を抽出する付帯情報抽出部として機能する。特定時間帯としては、上記第１実施形態と同様に、現在時刻を含む前後２時間の時間帯である。
【００８２】
図１５に示す例では、現在時刻が８時００分であり、本体制御部５０は、６時００分〜１０時００分の撮影時刻を含む付帯情報として、メモリカード６３から撮影条件Ａ１、Ａ４、Ａ５・・・を抽出し、オンラインストレージ７４から撮影条件Ｂ３、Ｂ４・・・を抽出している。さらに、本体制御部５０は、特定時間帯の撮影時刻を含む付帯情報として抽出された付帯情報を時系列順に並び替える。
【００８３】
設定メニューを変更する処理手順について、図１６に示すフローチャートに示すように、カメラ１０が設定モード下で、カメラ本体７１にメモリカード６３が接続状態（Ｓ２１でＹ）、かつオンラインストレージ７４と通信可能な接続状態（Ｓ２２でＹ）の場合、本体制御部５０は、メモリカード６３およびオンラインストレージ７４から画像データおよび付帯情報を読み出す（Ｓ２３）。
【００８４】
次に読み出された付帯情報のうち、特定時間帯の撮影時刻を含む付帯情報を抽出して付帯情報記憶部５８に一旦記憶する（Ｓ２４）。本体制御部５０は、特定時間帯の撮影時刻を含む付帯情報として抽出され、付帯情報記憶部５８に一旦記憶された撮影条件を時系列順に並び替える（Ｓ２５）。以降は、時系列順に並び替えられた撮影条件に基づき、上記第１実施形態と同様に、表示用設定項目および設定値を設定メニューに表示させる（Ｓ２６）。以上のように、複数の記憶部から付帯情報が読み出される場合でも、上記第１実施形態と同様に、撮影時刻に合わせて設定メニューの表示内容を適切に変更することができる。
【００８５】
なお、上記第２実施形態の変形例として、本体制御部５０により時系列で並び替えられ、付帯情報記憶部５８に一旦記憶された複数の付帯情報のうち、所定期間内における撮影で使用された複数の付帯情報のみを抽出して、所定期間内における撮影で使用された撮影条件に基づき、設定メニューを変更してもよい。所定期間としては、例えば、現在時刻より前の１週間以内など予め設定された期間でもよく、ユーザーが設定可能としてもよい。
【００８６】
また、上記第１および第２実施形態では、現在時刻を含む前後２時間の時間帯を特定時間帯として設定しているが、これに限らず、特定時間帯としては、現在時刻を含む所定時間内の時間帯であり、かつ昼時間帯および夜時間帯の一方に含まれる時間帯としてもよい。この場合、昼夜時間帯判定部として機能する本体制御部５０は、例えば、昼時間帯が６時００分〜１８時００分、夜時間帯が１８時００分〜６時００分と設定し、現在時刻が含まれる所定時間として４時間の時間帯とする。
【００８７】
そして、現在時刻の前後２時間全てが昼時間帯および夜時間帯のいずれか一方に含まれる場合は、現在時刻の前後２時間内を特定時間帯とするが、現在時刻の前後２時間が昼時間帯および夜時間帯の両方に跨る場合は、現在時刻が含まれる昼時間帯および夜時間帯のいずれか一方に収まるように、現在時刻に対する前後の時間を調節する。例えば、昼時間帯、夜時間帯、および所定時間が上記の設定で、現在時刻が１７時００分の場合、前後２時間は１５時００分〜１９時００分で昼時間帯および夜時間帯の両方に跨るため、現在時刻（１７時００分）が含まれる昼時間帯に収まるように、夜時間帯に掛かる１８時００分〜１９時００分の１時間分を現在時刻の前に振り分けて調節した１４時００分〜１８時００分を特定時間帯とする。
【００８８】
［第３実施形態］
上記第１実施形態では、記憶部から読み出された付帯情報から、特定時間帯の撮影時刻を含む付帯情報のみを抽出しているが、これに限らず、以下で説明する第３実施形態では、特定時間帯の撮影時刻を含む付帯情報が無い場合、現在時刻が昼時間帯および夜時間帯のいずれか一方かを判定し、判定された時間帯の撮影時刻を含む付帯情報を抽出する。特定時間帯としては、上記第１および第２実施形態と同様に、現在時刻を含む前後２時間の時間帯である。
【００８９】
本実施形態では、本体制御部５０は、タイマ５０Ａにより取得した現在時刻が昼時間帯および夜時間帯のいずれか一方かを判定する昼夜時間帯判定部として機能する。昼時間帯か夜時間帯かの判定は、予め設定された時間、例えば、昼時間帯が６時００分〜１８時００分、夜時間帯が１８時００分〜６時００分と設定し、これらの時間帯に現在時刻が含まれるか否かで判定する。なお、昼時間帯および夜時間帯の設定は、上記に限るものではなく、例えば、ユーザーが設定可能としてもよい。また、日付に応じた昼時間帯および夜時間帯を設定し、現在の日付および時刻に基づいて変動する設定にしてもよい。
【００９０】
本体制御部５０は、記憶部から読み出された付帯情報に特定時間帯の撮影時刻を含む付帯情報が無い場合、昼夜時間帯判定部として判定した昼時間帯および夜時間帯のいずれか一方の時間帯の撮影時刻を含む付帯情報を抽出する。
【００９１】
設定メニューを変更する処理手順について、図１７に示すフローチャートに示すように、カメラ１０が設定モード下で、カメラ本体１１にメモリカード６３が接続状態の場合（Ｓ３１でＹ）、本体制御部５０は、メモリカード６３から画像データおよび付帯情報を読み出す（Ｓ３２）。
【００９２】
次に読み出された付帯情報のうち、特定時間帯の撮影時刻を含む付帯情報が有る場合（Ｓ３３でＹ）、特定時間帯の撮影時刻を含む付帯情報を抽出して付帯情報記憶部５８に一旦記憶する（Ｓ３４）。本体制御部５０は、特定時間帯の撮影時刻を含む付帯情報として抽出され、付帯情報記憶部５８に一旦記憶された撮影条件から特定時間帯における撮影で使用された撮影条件の変更回数をカウントする（Ｓ３５）。
【００９３】
読み出された付帯情報のうち、特定時間帯の撮影時刻を含む付帯情報が無い場合（Ｓ３３でＮ）、本体制御部５０は、タイマ５０Ａにより取得した現在時刻が昼時間帯および夜時間帯のいずれか一方かを判定する（Ｓ３６）、現在時刻が昼時間帯の場合（Ｓ３６でＹ）、昼時間帯の撮影時刻を含む付帯情報を抽出し、昼時間帯における撮影で使用された撮影条件の変更回数をカウントする（Ｓ３７）。また、現在時刻が夜時間帯の場合（Ｓ３６でＮ）、夜時間帯の撮影時刻を含む付帯情報を抽出し、夜時間帯における撮影で使用された撮影条件の変更回数をカウントする（Ｓ３８）。
【００９４】
以降は、Ｓ３５、Ｓ３７、またはＳ３８でカウントされた結果に基づき、変更回数の多い順に表示用設定項目を設定メニュー表示させる（Ｓ３９）。さらに、抽出された各時間帯における撮影で使用された回数の多い最多設定値を、表示用設定項目の設定値として決定し、設定メニューに表示させる（Ｓ４０）。以上のように、特定時間帯の撮影時刻を含む付帯情報が無い場合でも、上記第１実施形態と同様に、ユーザーの使用状況に合わせて設定メニューの表示内容を適切に変更することができる。
【００９５】
上記第３実施形態では、現在時刻の前後２時間内を特定時間帯とし、特定時間帯の撮影時刻を含む付帯情報が無い場合、現在時刻を含む昼時間および夜時間のいずれか一方の時間帯の撮影時刻を含む付帯情報を抽出しているが、これに限らず、付帯情報を抽出する最初の段階で、現在時刻が含まれる昼時間帯および夜時間帯のいずれか一方を特定時間帯として判定してもよい。この場合、昼夜時間帯判定部として機能する本体制御部５０は、昼時間帯および夜時間帯のいずれか一方を特定時間帯と判定した後は、上記第１および第２実施形態と同様に、特定時間帯の撮影時刻を含む付帯情報を抽出し、抽出された付帯情報に含まれる撮影条件に応じて、設定メニューを変更する。
【００９６】
［第４実施形態］
以下で説明する第４実施形態では、特定時間帯の撮影時刻を含む付帯情報が無い場合、現在の位置情報に関連する付帯情報を抽出する。特定時間帯としては、上記第１〜第３実施形態と同様に、現在時刻を含む前後２時間の時間帯である。
【００９７】
図１８に示すように、本実施形態のカメラ本体７６では、ＧＰＳ（global positioning system）信号受信部７７を備える。なお、第１〜第３実施形態と同一構成部品には同一符号を付して重複した説明を省略している。なお、本実施形態では、メモリカード６３などの記憶部に記憶された付帯情報には、撮影画像を撮影した際の位置情報が含まれている。
【００９８】
ＧＰＳ信号受信部７７は、カメラ１０の現在の位置情報を取得する位置情報取得部である。本体制御部５０は、記憶部から読み出された付帯情報に特定時間帯の撮影時刻を含む付帯情報が無い場合、ＧＰＳ信号受信部７７により取得した現在の位置情報に関連する付帯情報、具体的には、ＧＰＳ信号受信部７７により取得した現在の位置情報と一致する位置情報を含む付帯情報を抽出する。なお、ここでいう「一致」とは、ほぼ一致する場合を含むものであり、例えば、現在の位置情報と、付帯情報に含まれる位置情報との距離が、所定の距離範囲内にあることをいう。
【００９９】
設定メニューを変更する処理手順について、図１９に示すフローチャートに示すように、カメラ１０が設定モード下で、カメラ本体７６にメモリカード６３が接続状態の場合（Ｓ４１でＹ）、本体制御部５０は、メモリカード６３から画像データおよび付帯情報を読み出す（Ｓ４２）。
【０１００】
次に読み出された付帯情報のうち、特定時間帯の撮影時刻を含む付帯情報が有る場合（Ｓ４３でＹ）、特定時間帯の撮影時刻を含む付帯情報を抽出して付帯情報記憶部５８に一旦記憶する（Ｓ４４）。本体制御部５０は、特定時間帯の撮影時刻を含む付帯情報として抽出され、付帯情報記憶部５８に一旦記憶された撮影条件から特定時間帯における撮影で使用された撮影条件の変更回数をカウントする（Ｓ４５）。
【０１０１】
読み出された付帯情報のうち、特定時間帯の撮影時刻を含む付帯情報が無い場合（Ｓ４３でＮ）、本体制御部５０は、ＧＰＳ信号受信部７７により取得した現在の位置情報と一致する付帯情報を抽出し（Ｓ４６）、現在位置における撮影で使用された撮影条件の変更回数をカウントする（Ｓ４７）。
【０１０２】
以降は、Ｓ４５、またはＳ４７でカウントされた結果に基づき、変更回数の多い順に表示用設定項目を設定メニュー表示させる（Ｓ４８）。さらに、抽出された各時間帯における撮影で使用された回数の多い最多設定値を、表示用設定項目の設定値として決定し、設定メニューに表示させる（Ｓ４９）。以上のように、特定時間帯の撮影時刻を含む付帯情報が無い場合でも、ユーザーの使用状況に合わせて設定メニューの表示内容を適切に変更することができる。
【０１０３】
［第５実施形態］
以下で説明する第５実施形態では、特定時間帯の撮影時刻を含む付帯情報が無く、顔画像が検知された場合、人物撮影に関連する付帯情報を抽出し、並びに、顔画像が検知されない場合、非人物撮影に関連する前記付帯情報を抽出する。特定時間帯としては、上記第１〜第４実施形態と同様に、現在時刻を含む前後２時間の時間帯である。
【０１０４】
図２０に示すように、本実施形態のカメラ本体８１では、顔画像検知部８２を備える。なお、第１〜第４実施形態と同一構成部品には同一符号を付して重複した説明を省略している。なお、本実施形態では、メモリカード６３などの記憶部に記憶された付帯情報には、撮影画像を撮影した際の撮影条件として撮影シーンに関する情報が含まれている。
【０１０５】
顔画像検知部８２は、背面表示部２２またはＥＶＦパネル５９に表示されるライブビュー画像から顔画像を検知する。顔画像検知部８２が顔画像を検知する方法としては周知のテンプレートマッチング法などが用いられる。本体制御部５０は、記憶部から読み出された付帯情報に特定時間帯の撮影時刻を含む付帯情報が無い場合、顔画像検知部８２によりライブビュー画像から顔画像が検知されるか否かを判定する。
【０１０６】
本体制御部５０は、記憶部から読み出された付帯情報に特定時間帯の撮影時刻を含む付帯情報が無く、顔画像検知部８２により顔画像が検知された場合、人物撮影に関連する付帯情報を抽出し、特定時間帯の撮影時刻を含む付帯情報が無く、顔画像検知部８２により顔画像が検知されない場合、非人物撮影に関連する付帯情報を抽出する。
【０１０７】
なお、本実施形態では、人物撮影に関連する付帯情報としては、人物またはスポーツなど人物を対象とする撮影シーンが設定されている撮影条件を含む付帯情報であり、非人物撮影に関連する付帯情報としては、風景または夜景などの非人物を対象とする撮影シーンが設定されている撮影条件を含む付帯情報である。なお、人物撮影に関連する付帯情報としては、上記に限らず、人物撮影に関連するものであればよく、フラッシュモードにおける赤目軽減発光モード、撮影画像に施すフィルタ処理における赤目補正モード、美白モード、美肌モードなど、あるいは、顔画像のエフェクト加工処理の撮影条件を含む付帯情報でもよい。
【０１０８】
設定メニューを変更する処理手順について、図２１に示すフローチャートに示すように、カメラ１０が設定モード下で、カメラ本体８１にメモリカード６３が接続状態の場合（Ｓ５１でＹ）、本体制御部５０は、メモリカード６３から画像データおよび付帯情報を読み出す（Ｓ５２）。
【０１０９】
次に読み出された付帯情報のうち、特定時間帯の撮影時刻を含む付帯情報が有る場合（Ｓ５３でＹ）、特定時間帯の撮影時刻を含む付帯情報を抽出して付帯情報記憶部５８に一旦記憶する（Ｓ５４）。本体制御部５０は、特定時間帯の撮影時刻を含む付帯情報として抽出され、付帯情報記憶部５８に一旦記憶された撮影条件から特定時間帯における撮影で使用された撮影条件の変更回数をカウントする（Ｓ５５）。
【０１１０】
読み出された付帯情報のうち、特定時間帯の撮影時刻を含む付帯情報が無い場合（Ｓ５３でＮ）、本体制御部５０は、顔画像検知部８２によりライブビュー画像から露出値を顔画像が検知されるか否かを判定する（Ｓ５６）。顔画像が検知された場合（Ｓ５６でＮ）、人物撮影に関連する付帯情報を抽出し（Ｓ５７）、人物撮影で使用された撮影条件の変更回数をカウントする（Ｓ５８）。
【０１１１】
一方、顔画像が検知されない場合（Ｓ５６でＮ）、非人物撮影に関連する付帯情報を抽出し（Ｓ５９）、非人物撮影で使用された撮影条件の変更回数をカウントする（Ｓ６０）。以降は、Ｓ５５、Ｓ５８、またはＳ６０でカウントされた結果に基づき、変更回数の多い順に表示用設定項目を設定メニュー表示させる（Ｓ６１）。さらに、抽出された各時間帯における撮影で使用された回数の多い最多設定値を、表示用設定項目の設定値として決定し、設定メニューに表示させる（Ｓ６２）。以上のように、特定時間帯の撮影時刻を含む付帯情報が無い場合でも、ユーザーの使用状況に合わせて設定メニューの表示内容を適切に変更することができる。
【０１１２】
［第６実施形態］
上記第１〜第５実施形態では、本体制御部５０は、設定メニューの設定値として、抽出された付帯情報に含まれる撮影条件に基づき、表示用設定項目における最も使用回数が多い値を設定値として決定しているが、設定値を決定する構成はこれに限るものではなく、以下で説明する第６実施形態では、被写体像から露出値を検出し、この露出値に応じて設定値を変更する。
【０１１３】
図２２に示すように、本実施形態のカメラ本体８６では、露出値検出部８７を備える。なお、第１〜第５実施形態と同一構成部品には同一符号を付して重複した説明を省略している。露出値検出部８７は、背面表示部２２またはＥＶＦパネル５９に表示されるライブビュー画像における露出値を検出する。具体的には、露出値検出部８７は、固体撮像素子２１がライブビュー画像を撮像する際の撮像信号に基づいて露出値を算出する。
【０１１４】
本実施形態では、本体制御部５０は、フラッシュ装置１７の発光を制御するフラッシュ発光制御部としても機能する。本体制御部５０は、記憶部から付帯情報を読み出し、抽出された撮影条件に基づき表示用設定項目が決定された後、露出値検出部８７により所定値以上の露出値が検出された場合、フラッシュ装置１７の発光量を低減させる設定値に、並びに、露出値検出部８７により所定値未満の露出値が検出された場合、フラッシュ装置１７の発光量を増加させる設定値に変更する。なお、設定値を決定する処理手順以外は、上記各実施形態と同様である。
【０１１５】
なお、上記第６実施形態において、設定メニューとして撮影機能を設定する複数の設定項目の中に、フラッシュ発光量調整がある場合は、このフラッシュ発光量調整の設定値に応じたフラッシュ装置１７の発光量を優先することが好ましい。また、フラッシュ発光量調整の設定値が設定された場合は、露出値検出部８７の機能をオフにすることが好ましい。あるいは、フラッシュ発光量調整においてＡＵＴＯの設定値がある場合のみ、上記第６実施形態と同様に、露出値検出部８７により検出される露出値に応じて、フラッシュ装置１７の発光量を自動的に変化させるようにしてもよい。
【０１１６】
第６実施形態の変形例として、本体制御部５０は、フラッシュ装置１７の発光量を制御するのではなく、オンオフを制御してもよい。すなわち、露出値検出部８７により所定値以上の露出値が検出された場合、フラッシュ装置１７の発光をオフする設定値に、並びに、露出値検出部８７により所定値未満の露出値が検出された場合、フラッシュ装置１７の発光をオンする設定値に変更する。
【０１１７】
別の変形例として、本体制御部５０は、露出値検出部８７と、上記第５実施形態と同様の顔画像検知部８２とを備える。本体制御部５０は、顔画像検知部８２により顔画像が検知され、かつ露出値検出部８７により所定値以上の露出値が検出された場合、フラッシュ装置１７の発光量をオフする設定値に、並びに、顔画像検知部８２により顔画像が検知され、露出値検出部８７により所定値未満の露出値が検出された場合、フラッシュ装置１７の発光量をオンする設定値に変更する。
【０１１８】
さらに別の変形例として、露出値検出部８７に代えて距離算出部と、上記第５実施形態と同様の顔画像検知部８２とを備える。距離算出部は、背面表示部２２またはＥＶＦパネル５９に表示されるライブビュー画像における被写体までの距離値を算出する。なお、被写体までの距離値を算出する構成は従来のカメラに備えられているものと同様であり、例えば、本体制御部５０によって決定されたフォーカスレンズ３９の合焦位置に基づき被写体までの距離値を算出する。本体制御部５０は、顔画像検知部８２により顔画像が検知されず、かつ距離算出部により所定値以上の距離値が検出された場合、フラッシュ装置１７の発光量をオフする設定値に、並びに、顔画像検知部８２により顔画像が検知されず、かつ距離算出部により所定値未満の距離値が検出された場合、フラッシュ装置１７の発光量をオンする設定値に変更する。
【０１１９】
［第７実施形態］
以下で説明する第７実施形態では、設定メニューに表示される複数の表示用設定項目のうち、特定の第１設定項目に対して、付帯情報抽出部により抽出された付帯情報に含まれる撮影条件に基づいて設定値を決定し、第１設定項目と関連する第２設定項目に対して、第１設定項目に対して決定された設定値に対応する付帯情報に含まれる撮影条件に基づいて設定値を決定する。
【０１２０】
本実施形態の場合、特定の第１設定項目に対して、設定値を決定する構成としては、上記第１〜第６実施形態において表示用設定項目の設定値を決定する構成と同様である。
【０１２１】
本実施形態においては、図２３に示す例のように、撮影シーンが第１設定項目であり、フラッシュモードが撮影シーンに関連する第２設定項目である。第１設定項目と第２設定項目とが関連する関係としては、例えば、設定メニューに表示される複数の表示用設定項目のうち、第１設定項目とセットで設定変更される回数の多いものが第２設定項目である。
【０１２２】
図２３に示す例では、本体制御部５０は、特定時間帯における撮影で使用された回数の多い最多設定値を、第１設定項目の設定値として決定する。そして、本体制御部５０は、第１設定項目と関連する第２設定項目に対して、設定値を決定する場合、第１設定項目で決定された最多設定値に対応する撮影条件に基づいて設定値を決定する。すなわち、撮影シーン（第１設定項目）の最多設定値である風景に対応する撮影条件に基づいてフラッシュモード（第２設定項目）の設定値が決定される。風景に対応する撮影条件の中では、フラッシュモード（第２設定項目）において最も使用回数が設定値はＡＵＴＯである。よって、第２設定項目の設定値はＡＵＴＯに決定される。
【０１２３】
上記各実施形態では、ミラーレス一眼タイプのデジタルカメラを例に説明したが、一眼レフタイプのデジタルカメラなどその他のレンズ交換型デジタルカメラにも適用してもよく、カメラ本体とレンズ鏡筒とを一体に設けたレンズ一体型のデジタルカメラに適用してもよい。
【符号の説明】
【０１２４】
１０  レンズ交換式デジタルカメラ
１１  カメラ本体
１２  交換レンズ
１３  電源レバー
１４  レリーズスイッチ
１５  露出補正ダイヤル
１６  シャッタスピード／ＩＳＯ感度ダイヤル
１７  内蔵型フラッシュ装置
１８  フラッシュレバー
１９  マウント
１９Ａ  ボディ側信号接点
２１  固体撮像素子
２２  背面表示部
２３  操作ボタン
２４  ファインダ部
２４Ａ  ファインダ接眼窓
２５  鏡筒部
２６  撮影光学系
２７  フォーカスリング
２８  絞り操作リング
２９  ズームリング
３０  レンズマウント
３０Ａ  レンズ側信号接点
３１  レンズ制御部
３２  モータドライバ
３３，３４  モータ
３６  ズーム機構
３７，３８  センサ
３９  フォーカスレンズ
４０  変倍レンズ
４１  絞りユニット
４１ａ  絞り羽根
５０  本体制御部
５０Ａ  タイマ
５１  シャッタユニット
５２  モータドライバ
５３  画像メモリ
５４  画像データ処理部
５５  ＡＦ処理部
５６  ＬＣＤドライバ
５７  カードＩ／Ｆ
５８  付帯情報記憶部
５９  ＥＶＦパネル
６０  バスライン
６２  シャッタモータ
６３  メモリカード
７１  カメラ本体
７２  通信Ｉ／Ｆ
７３  ネットワーク
７４  オンラインストレージ
７６  カメラ本体
７７  ＧＰＳ信号受信部
８１  カメラ本体
８２  顔画像検知部
８６  カメラ本体
８７  露出値検出部
Ｍ、Ｍ１、Ｍ２  設定メニュー
【図１】
0006473549.tif 000002
【図２】
0006473549.tif 000003
【図３】
0006473549.tif 000004
【図４】
0006473549.tif 000005
【図５】
0006473549.tif 000006
【図６】
0006473549.tif 000007
【図７】
0006473549.tif 000008
【図８】
0006473549.tif 000009
【図９】
0006473549.tif 000010
【図１０】
0006473549.tif 000011
【図１１】
0006473549.tif 000012
【図１２】
0006473549.tif 000013
【図１３】
0006473549.tif 000014
【図１４】
0006473549.tif 000015
【図１５】
0006473549.tif 000016
【図１６】
0006473549.tif 000017
【図１７】
0006473549.tif 000018
【図１８】
0006473549.tif 000019
【図１９】
0006473549.tif 000020
【図２０】
0006473549.tif 000021
【図２１】
0006473549.tif 000022
【図２２】
0006473549.tif 000023
【図２３】
0006473549.tif 000024